(57)【要約】【課題】  コネクタに接続対象物の接続方向と対向する導電部材を備える場合、接続過程において導電部材先端に接続対象物が直接接触するため、導電部材先端部が接続対象物によって座屈変形する。【解決手段】  絶縁体５０の接続表面５３に、導電部材４０より先に接続対象物１００に接触し、該接続対象物１００を絶縁体５０の接続表面５３に対し離反する方向に変位させる傾斜案内面７０ａを有する固定接触部７０を設け、絶縁体５０の接続表面５３に対する導電部材４０先端の離反距離Ｓ１よりも接続対象物１００の離反距離Ｓ２，Ｓ３が大きくなるように、該接続対象物１００を絶縁体５０の接続表面５３に対して離反させ、接続対象物１００が直接導電部材４０先端に接触することがないようにし、接続対象物１００の接続方向と対向する導電部材４０先端部の座屈変形を防止する。【選択図】  図１
2006252900.tif 000002
【特許請求の範囲】
【請求項１】
接続対象物の電極配置表面と対向する平坦な接続表面を有する絶縁体と、絶縁体に保持される支点部と該支点部から接続対象物の接続方向と逆方向に延設される弾性変位可能なバネ部と該バネ部の先端に連設されて絶縁体の接続表面に突出される接続対象物の電極に対する可動接触部とを有する導電部材とを備えるコネクタにおいて、絶縁体の接続表面に、導電部材より先に接続対象物に接触し、該接続対象物を絶縁体の接続表面に対し離反する方向に変位させる傾斜案内面を有する固定接触部を設けることを特徴とするコネクタ。
【請求項２】
請求項１に記載の固定接触部に加え又はそれに代えて、導電部材より先に接続対象物に接触し、該接続対象物を絶縁体の接続表面に対し離反させる方向にバネ付勢するバネ体を設けることを特徴とするコネクタ。
【請求項３】
接続対象物の電極配置表面と対向する平坦な接続表面を有する絶縁体と、絶縁体に保持される支点部と該支点部から接続対象物の接続方向に延設される弾性変位可能なバネ部と該バネ部の先端に連設されて絶縁体の接続表面に突出される接続対象物の電極に対する可動接触部とを有する第１導電部材と、絶縁体に保持される支点部と該支点部から接続対象物の接続方向と逆方向に延設される弾性変位可能なバネ部と該バネ部の先端に連設されて絶縁体の接続表面に突出される接続対象物の電極に対する可動接触部とを有する第２導電部材とを備え、第１導電部材が第２導電部材より先に接続対象物に接触するように、第１導電部材と第２導電部材が接続対象物の接続方向に沿って前後２列に対向配置されるコネクタにおいて、第１導電部材のバネ力を第２導電部材のバネ力より大きくすることを特徴とするコネクタ。
【請求項４】
請求項３に記載の第１導電部材のバネ力を第２導電部材のバネ力より大きくすることに加え又はそれに代えて、絶縁体の接続表面に、第２導電部材より先に接続対象物に接触し、該接続対象物を絶縁体の接続表面に対し離反する方向に変位させる傾斜案内面を有する固定接触部を設けることを特徴とするコネクタ。
【請求項５】
請求項３に記載の第１導電部材のバネ力を第２導電部材のバネ力より大きくすることに加え又はそれに代えて、第２導電部材より先に接続対象物に接触し、該接続対象物を絶縁体の接続表面に対し離反させる方向にバネ付勢するバネ体を設けることを特徴とするコネクタ。
【請求項６】
請求項３に記載の第１導電部材のバネ力を第２導電部材のバネ力より大きくすることに加え又はそれに代えて、絶縁体の接続表面に、第２導電部材より先に接続対象物に接触し、該接続対象物を絶縁体の接続表面に対し離反する方向に変位させる傾斜案内面を有する固定接触部と、第２導電部材より先に接続対象物に接触し、該接続対象物を絶縁体の接続表面に対し離反させる方向にバネ付勢するバネ体を設けることを特徴とするコネクタ。
【発明の詳細な説明】
【技術分野】
【０００１】
本発明は、電気接続用のコネクタに関する。
【背景技術】
【０００２】
従来より、例えばＩＣカードやメモリーカード等のカードを接続対象物とするカードコネクタの中で、カード挿入方向と対向する導電部材（コンタクト）を備える小型、薄型化されたカードコネクタ（例えば特許文献１，２参照）が知られている。
【特許文献１】特開２００３−５９５５７号公報
【特許文献２】特開平１１−２５０９６５号公報
【発明の開示】
【発明が解決しようとする課題】
【０００３】
本発明が解決しようする課題は、コネクタに接続対象物の接続方向と対向する導電部材を備える場合、接続過程において導電部材先端に接続対象物が直接接触するため、導電部材先端部が接続対象物によって座屈変形することにある。
【課題を解決するための手段】
【０００４】
上記課題を解決するため、請求項１に係る発明は、接続対象物の電極配置表面と対向する平坦な接続表面を有する絶縁体と、絶縁体に保持される支点部と該支点部から接続対象物の接続方向と逆方向に延設される弾性変位可能なバネ部と該バネ部の先端に連設されて絶縁体の接続表面に突出される接続対象物の電極に対する可動接触部とを有する導電部材（接続対象物の接続方向と対向する導電部材）とを備えるコネクタにおいて、絶縁体の接続表面に、導電部材より先に接続対象物に接触し、該接続対象物を絶縁体の接続表面に対し離反する方向に変位させる傾斜案内面を有する固定接触部を設けることを特徴とする。
【０００５】
請求項１に係る発明によれば、固定接触部の傾斜案内面が接続対象物の接続方向と対向する導電部材より先に接続対象物に接触し、絶縁体の接続表面に対する導電部材先端の離反距離よりも接続対象物の離反距離が大きくなるように、該接続対象物を絶縁体の接続表面に対して強制的に離反させ、接続対象物が直接導電部材先端に接触することがないようにして、接続対象物の接続方向と対向する導電部材先端部の座屈変形を確実に防止する。
【０００６】
請求項２に係る発明は、請求項１に記載の固定接触部に加え又はそれに代えて、導電部材より先に接続対象物に接触し、該接続対象物を絶縁体の接続表面に対し離反させる方向にバネ付勢するバネ体を設けることを特徴とする。
【０００７】
請求項２に係る発明によれば、バネ体が接続対象物の接続方向と対向する導電部材より先に接続対象物に接触し、絶縁体の接続表面に対する導電部材先端の離反距離よりも接続対象物の離反距離が大きくなるように、該接続対象物を絶縁体の接続表面に対して離反させ、接続対象物が直接導電部材先端に接触することがないようにして、接続対象物の接続方向と対向する導電部材先端部の座屈変形を防止する。このバネ体と請求項１に記載の固定接触部とを併用した場合には、接続対象物の接続方向と対向する導電部材先端部の座屈変形を確実に防止することができる。
【０００８】
請求項３に係る発明は、接続対象物の電極配置表面と対向する平坦な接続表面を有する絶縁体と、絶縁体に保持される支点部と該支点部から接続対象物の接続方向に延設される弾性変位可能なバネ部と該バネ部の先端に連設されて絶縁体の接続表面に突出される接続対象物の電極に対する可動接触部とを有する第１導電部材（接続対象物の接続方向に対し非対向の導電部材）と、絶縁体に保持される支点部と該支点部から接続対象物の接続方向と逆方向に延設される弾性変位可能なバネ部と該バネ部の先端に連設されて絶縁体の接続表面に突出される接続対象物の電極に対する可動接触部とを有する第２導電部材（接続対象物の接続方向と対向する導電部材）とを備え、第１導電部材が第２導電部材より先に接続対象物に接触するように、第１導電部材と第２導電部材が接続対象物の接続方向に沿って前後２列に対向配置されるコネクタにおいて、第１導電部材のバネ力を第２導電部材のバネ力より大きくすることを特徴とする。
【０００９】
請求項３に係る発明によれば、接続対象物の接続方向に対し非対向の第１導電部材が対向する第２導電部材より先に接続対象物に接触し、第２導電部材のバネ力より大きい第１導電部材のバネ力で、絶縁体の接続表面に対する第２導電部材先端の離反距離よりも接続対象物の離反距離が大きくなるように、該接続対象物を絶縁体の接続表面に対して離反させ、接続対象物が直接第２導電部材先端に接触することがないようにして、接続対象物の接続方向と対向する第２導電部材先端部の座屈変形を防止する。
【００１０】
請求項４に係る発明は、請求項３に記載の第１導電部材のバネ力を第２導電部材のバネ力より大きくすることに加え又はそれに代えて、絶縁体の接続表面に、第２導電部材より先に接続対象物に接触し、該接続対象物を絶縁体の接続表面に対し離反する方向に変位させる傾斜案内面を有する固定接触部を設けることを特徴とする。
【００１１】
請求項４に係る発明によれば、固定接触部の傾斜案内面が接続対象物の接続方向と対向する第２導電部材より先に接続対象物に接触し、絶縁体の接続表面に対する第２導電部材先端の離反距離よりも接続対象物の離反距離が大きくなるように、該接続対象物を絶縁体の接続表面に対して強制的に離反させ、接続対象物が直接第２導電部材先端に接触することがないようにして、接続対象物の接続方向と対向する第２導電部材先端部の座屈変形を確実に防止する。
【００１２】
請求項５に係る発明は、請求項３に記載の第１導電部材のバネ力を第２導電部材のバネ力より大きくすることに加え又はそれに代えて、第２導電部材より先に接続対象物に接触し、該接続対象物を絶縁体の接続表面に対し離反させる方向にバネ付勢するバネ体を設けることを特徴とする。
【００１３】
請求項５に係る発明によれば、バネ体と接続対象物の接続方向に対し非対向の第１導電部材が接続対象物の接続方向と対向する第２導電部材より先に接続対象物に接触し、第２導電部材のバネ力よりも大きくなるバネ体と第１導電部材の合成バネ力で、絶縁体の接続表面に対する第２導電部材先端の離反距離よりも接続対象物の離反距離が大きくなるように、該接続対象物を絶縁体の接続表面に対して離反させ、接続対象物が直接第２導電部材先端に接触することがないようにして、接続対象物の接続方向と対向する第２導電部材先端部の座屈変形を防止する。請求項３に記載の第１導電部材のバネ力を第２導電部材のバネ力より大きくすることに加えて、バネ体を設けた場合には、単独の場合に比べ接続対象物の接続方向と対向する第２導電部材先端部の座屈変形をより確実に防止することができる。
【００１４】
請求項６に係る発明は、請求項３に記載の第１導電部材のバネ力を第２導電部材のバネ力より大きくすることに加え又はそれに代えて、絶縁体の接続表面に、第２導電部材より先に接続対象物に接触し、該接続対象物を絶縁体の接続表面に対し離反する方向に変位させる傾斜案内面を有する固定接触部と、第２導電部材より先に接続対象物に接触し、該接続対象物を絶縁体の接続表面に対し離反させる方向にバネ付勢するバネ体を設けることを特徴とする。
【００１５】
請求項６に係る発明によれば、請求項４に係る発明と同様に、固定接触部の傾斜案内面が接続対象物の接続方向と対向する第２導電部材より先に接続対象物に接触し、絶縁体の接続表面に対する第２導電部材先端の離反距離よりも接続対象物の離反距離が大きくなるように、該接続対象物を絶縁体の接続表面に対して強制的に離反させ、接続対象物が直接第２導電部材先端に接触することがないようにして、接続対象物の接続方向と対向する第２導電部材先端部の座屈変形を確実に防止し、また、請求項５に係る発明と同様に、バネ体と接続対象物の接続方向に対し非対向の第１導電部材が接続対象物の接続方向と対向する第２導電部材より先に接続対象物に接触し、第２導電部材のバネ力よりも大きくなるバネ体と第１導電部材の合成バネ力で、絶縁体の接続表面に対する第２導電部材先端の離反距離よりも接続対象物の離反距離が大きくなるように、該接続対象物を絶縁体の接続表面に対して離反させ、接続対象物が直接第２導電部材先端に接触することがないようにして、接続対象物の接続方向と対向する第２導電部材先端部の座屈変形を防止する。請求項３に記載の第１導電部材のバネ力を第２導電部材のバネ力より大きくすることに加えて、固定接触部及びバネ体を設けた場合には、接続対象物の接続方向と対向する第２導電部材先端部の座屈変形を確実に防止することができる。
【発明の効果】
【００１６】
以上のように本発明によれば、接続対象物の接続方向と対向する導電部材より先に接続対象物に接触し、絶縁体の接続表面に対する導電部材先端の離反距離よりも接続対象物の離反距離が大きくなるように、該接続対象物を絶縁体の接続表面に対して離反させ、接続対象物が直接導電部材先端に接触することがないようにする手段を設けているので、接続対象物の接続方向と対向する導電部材先端部の座屈変形を防止することができる。
【発明を実施するための最良の形態】
【００１７】
以下、本発明の実施の形態を図面に基づいて説明する。この実施の形態はカードコネクタに本発明を適用した場合の実施例で説明する。図１は本実施例のカードコネクタの外観斜視図、図２は図１のカードコネクタの分解斜視図、図３は図１のカードコネクタを裏返した状態の外観斜視図、図４は図３のカードコネクタの分解斜視図、図５〜図７は図１のカードコネクタの要部断面側面図である。なお、以下の説明では特に断りがない場合、図１における矢印ａ−ｂ方向を上下方向（厚み方向）、矢印ｃ−ｄ方向を左右方向（幅方向）、矢印ｅ−ｆ方向を前後方向（長さ方向＝カード挿抜方向）として説明する。
【００１８】
図において、１００は本実施例のコネクタ１の接続対象物であるメモリーカードであり、この一表面にはコネクタ１への挿入側（後側）の端部と反対側（前側）の端部間に前後２列に複数の前及び後電極１１０，１２０が配置され、一側の端部一側には角落とし部１３０が設けられている。本実施例のコネクタ１に対するカード１００の正規挿入姿勢では角落とし部１３０が前側の端部一側に位置し、電極配置表面が下に、反対側表面が上になる。
【００１９】
そして、図１〜図４に示すように、本実施例のコネクタ１は構成部品として、薄板金属をプレス加工（打ち抜き加工及び曲げ加工）して形成された金属フレーム２０と、インサート成形により形成されてカード１００の前後電極１１０，１２０と電気的に接続させる複数の第１及び第２導電部材である前及び後コンタクト３０，４０を保持する絶縁体である矩形板状のインシュレータ５０とを備えている。
【００２０】
金属フレーム２０は、カード１００の下面と対向するＨ形の底板部２１と、底板部２１の左右側部２１ａ，２１ｂの外側縁から上向きに立ち上げられてカード１００の左右側面と対向する左右側板部２２ａ，２２ｂと、左右側板部２２ａ，２２ｂの上側縁から内向きに延設されてカード１００の上面左右側部と対向する左右天板部２３ａ，２３ｂを形成し、底板部２１の左側部２１ａと左側板部２２ａと左天板部２３ａでカード１００の左側部を挿抜自在に嵌合させる断面コ形で前後方向（カード挿抜方向）に延びる左ガイドフレーム部２４ａを構成し、底板部２１の右側部２１ｂと右側板部２２ｂと右天板部２３ｂでカード１００の右側部を挿抜自在に嵌合させる断面コ形で前後方向に延びる右ガイドフレーム部２４ｂを構成し、底板部２１の中央部で左右方向に延びる帯状部分が左右ガイドフレーム部２４ａ，２４ｂを一体連結する連結部２１ｃになり、全体として平面視Ｈ型に形成されている。左右ガイドフレーム部２４ａ，２４ｂの後端部にはカード受け止め部２５ａ，２５ｂが設けられ、左右ガイドフレーム部２４ａ，２４ｂの前端部間がカード挿入口２６になっている。また、金属フレーム２０には図示しない回路基板に対する半田付け用の左右脚部２７ａ，２７ｂを、その下面が底板部２１の下面と面一になるように左右側板部２２ａ，２２ｂから左右外向きに突設している。
【００２１】
インシュレータ５０は、底板部２１の上面側で左右ガイドフレーム部２４ａ，２４ｂ間に配置され、インシュレータ５０の下面中央部を横切る連結部２１ｃに両面テープ６０の貼り付けにより固着されている。連結部２１ｃに対応するインシュレータ５０の下面中央部にはその連結部２１ｃと互いに嵌め合う帯状の中央凹部５１が形成されると共に、底板部２１における左右側部２１ａ，２１ｂの内側縁部に対応するインシュレータ５０の下面左右側縁部にはその左右側部２１ａ，２１ｂの内側縁部と互いに嵌め合う左右凹部５２ａ，５２ｂが形成されている。このような金属フレーム２０側とインシュレータ５０側の互いの嵌め合い構造により両者間の位置決めを行うと共に、この嵌め合い時に底板部２１の下面とインシュレータ５０の下面とが面一になるように、中央凹部５１の深さが金属フレーム２０の板厚と両面テープ６０の厚みを加算した寸法と略同一に設定され、左右凹部５２ａ，５２ｂの深さは金属フレーム２０の板厚と略同一寸法に設定されている。なお、両面テープ６０には、回路基板にコネクタ１を表面実装する際のリフロー半田付け工程を考慮し、この工程（約２６０℃の雰囲気）にも耐える高い耐熱性を有するものが使用されている。
【００２２】
また、インシュレータ５０は、その下面が底板部２１と嵌め合うための中央凹部５１及び左右凹部５２ａ，５２ｂにより凹凸を有するのに対し、カード１００の下面と対向する上面は凹凸のない平坦面に形成されている。このようにインシュレータ５０は、カード１００の下面と対向する平坦な上面、即ち、接続表面５３を有している。
【００２３】
また、インシュレータ５０における薄肉部（中央凹部５１及び左右凹部５２ａ，５２ｂ）以外の前後厚肉部５４ａ，５４ｂには、前後厚肉部５４ａ，５４ｂを上下方向に貫通する貫通孔でなる前後方向に長い幅狭の前後コンタクト収納孔５５ａ，５５ｂが複数本（本実施例では３本）左右方向に並設されている。この前後コンタクト収納孔５５ａ，５５ｂに前後コンタクト３０，４０が配置されている。このようにインシュレータ５０には、カード１００の前後電極１１０，１２０に対応してカード挿入方向に沿って前側（手前側）と後側（奥側）の前後２列に複数本（本実施例では前列３本，後列３本の合計６本）の前後コンタクト３０，４０が配置されている。
【００２４】
前後コンタクト３０，４０は幅狭の金属薄板からなり、水平方向に延びる支点部３０ａ，４０ａと、支点部３０ａ，４０ａの一端側から斜め上方に延ばされる上下方向に弾性変位可能なバネ部３０ｂ，４０ｂと、バネ部３０ｂ，４０ｂの先端に設けられて、カード１００の前後電極１１０，１２０に対応する接点となる山形の可動接触部３０ｃ，４０ｃと、支点部３０ａ，４０ａの他端側から下向きの段差部３０ｄ，４０ｄを経て水平に延ばされて、回路基板の配線パターンに対応する接点となる固定接触部３０ｅ，４０ｅとを有し、これらが連続一体に連設形成されている。そして、前コンタクト３０は、支点部３０ａがインシュレータ５０の前端面と前コンタクト収納孔５５ａ間の樹脂内に埋設されて、インシュレータ５０の前側の端部に固着され、支点部３０ａより一側のバネ部３０ｂ及び可動接触部３０ｃが平面視で前コンタクト収納孔５５ａの中でカード挿入方向（後方）に向かって延出されると共に、自由状態において側面視でバネ部３０ｂの先端側と可動接触部３０ａ全体がインシュレータ５０の接続表面５３より突出され、また、支点部３０ａより他側の段差部３０ｄ及び固定接触部３０ｅは、固定接触部３０ｅの下面がインシュレータ５０の前後厚肉部５４ａ，５４ｂの下面と面一になるように、インシュレータ５０の前端面より前向きに突出されている。一方、後コンタクト４０は、支点部４０ａがインシュレータ５０の後端面と後コンタクト収納孔５５ｂ間の樹脂内に埋設されて、インシュレータ５０の後端部に固着され、支点部４０ａより一側のバネ部４０ｂ及び可動接触部４０ｃが平面視で後コンタクト収納孔５５ｂの中でカード抜去方向（前方）に向かって延出されると共に、自由状態において側面視でバネ部４０ｂの先端側と可動接触部４０ｃ全体がインシュレータ５０の接続表面５３より突出され、また、支点部４０ａより他側の段差部４０ｄ及び固定接触部４０ｅは、固定接触部４０ｅの下面がインシュレータ５０の前後厚肉部５４ａ，５４ｂの下面と面一になるように、インシュレータ５０の後端面より後向きに突出されている。このようにインシュレータ５０には、カード挿入方向に対し非対向の前コンタクト３０と対向する後コンタクト４０が、カード挿入方向に沿って前側と後側の前後２列に対向配置されている。
【００２５】
本実施例のコネクタ１を組み立てるに当たっては、金属フレーム２０とインシュレータ５０を耐熱性を有する両面テープ６０を使用して接合一体化するもので、金属フレーム２０の連結部２１ｃの上面或いはインシュレータ５０の下面中央凹部５１表面に、その外形及び大きさより一回り小さい外形及び大きさにカットされた両面テープ６０を貼り付けた後、図２，図４に示すように、金属フレーム２０とインシュレータ５０を対向させ、図３，図７に示すように、金属フレーム２０の連結部２１ｃとインシュレータ５０の中央凹部５１を両面テープ６０を挟んで嵌め合わせ、同時に金属フレーム２０の底板部２１における左右側部２１ａ，２１ｂの内側縁部とインシュレータ５０の左右凹部５２ａ，５２ｂも嵌め合わせ、金属フレーム２０の連結部２１ｃにインシュレータ５０の下面中央部を両面テープ６０の貼り付けにより固着することで、組み立てが完了する。この組み立て完了状態においては、図１に示すように、金属フレーム２０の底板部２１上面側で左右ガイドフレーム部２４ａ，２４ｂ間にインシュレータ５０が配置されて、このインシュレータ５０によって金属フレーム２０の底板部２１上面側で左右ガイドフレーム部２４ａ，２４ｂ間にカード挿入方向に対して非対向の前コンタクト３０と対向する後コンタクト４０が、カード挿入方向に沿って前側と後側の前後２列に対向配置される。また、図３に示すように、金属フレーム２０における底板部２１下面及び左右脚部２７ａ，２７ｂ下面、インシュレータ５０における前後厚肉部５３ａ，５３ｂ下面、前後コンタクト３０，４０における固定接触部３０ｅ，４０ｅ下面が全て面一になり、回路基板に表面実装可能なフラット下面に構成されている。
【００２６】
組み立てが完了した本実施例のコネクタ１は、例えば携帯電話等の電子機器に組み込まれるＰＣＢ等、回路基板に表面実装され、金属フレーム２０の左右脚部２７ａ，２７ｂが回路基板にリフロー半田付けされて固着されると共に、前後コンタクト３０，４０の固定接触部３０ｅ，４０ｅが回路基板の配線パターンにリフロー半田付けされて電気的に接続される。
【００２７】
本実施例のコネクタ１にカード１００を装着して使用する際には、カード１００を正規挿入姿勢でカード挿入口２６を通じてインシュレータ５０の接続表面５３の上に挿入することにより、カード１００の挿入側の端部が、先ず、インシュレータ５０の接続表面５３で突出しているカード挿入方向に対して非対向の前コンタクト３０に接触し、この前コンタクト３０をカード挿入に伴って前コンタクト収納孔５５ａ内に押し下げながら通過し、次いで、インシュレータ５０の接続表面５３で突出しているカード挿入方向と対向する後コンタクト４０に接触し、この後コンタクト４０をカード挿入に伴って後コンタクト収納孔５５ｂ内に押し下げながら通過し、この後、左右ガイドフレーム部２４ａ，２４ｂの後端部に設けられている左右カード受け止め部２５ａ，２５ｂに受け止められることによって、カード１００が、図１の仮想線に示すカードセット位置に装着される。このカードセット位置において、カード１００の前後電極１１０，１２０に前後コンタクト３０，４０の可動接触部３０ｃ，４０ｃが接触して電気的に接続されることによって、カード１００と電子機器が前後コンタクト３０，４０を通じて電気的に接続され、カード１００と電子機器間での各種信号及びデータの入出力が可能になる。
【００２８】
ここで、カード挿入方向と対向する後コンタクト４０は、その先端（可動接触部４０ｃの先端）が、カード１００の電極配置表面と対向するインシュレータ５０の接続表面５３のより突出しており、カード挿入過程において、カード１００の挿入側の端部と直接接触すると、後コンタクト４０先端部がカード１００によって座屈変形する。このような座屈変形を防止する手段を本実施例のコネクタ１は設けており、その手段を以下に説明する。
【００２９】
第１の座屈変形防止手段として、本実施例のコネクタ１には、図１、図５に示すように、インシュレータ５０の接続表面５３における各後コンタクト収納孔５５ｂの直前にそれぞれ部分的に突出して形成された略直方形状の小さなリブでなる固定接触部７０が設けられている。この固定接触部７０は、インシュレータ５０の接続表面５３に対する後コンタクト４０先端の離反距離Ｓ１より大きく、且つ、下面をインシュレータ５０の接続表面５３に当接させた状態のカード１００の上面と左右天板部２３ａ，２３ｂとの隙間Ｓ３より小さい高さＳ２を有すると共に、カード挿入方向と対向する固定接触部７０の前側面にはカード挿入方向に向かって上り勝手（後上がり傾斜状）に形成された傾斜案内面７０ａを有し、この傾斜案内面７０ａによってインシュレータ５０の接続表面５３と、インシュレータ５０の接続表面５３に対し離反距離Ｓ２で離反し、且つ、インシュレータ５０の接続表面５３と平行でカード１００の下面と対向する固定接触部７０の平坦なカード支持表面７０ｂ（上面）とが連続的に接続されている。ここで、後コンタクト４０は固定接触部７０の直後に直列に配置され、カード挿入方向に見て、固定接触部７０の背後に後コンタクト４０先端が隠され、可動接触部４０ｃの頂部が固定接触部７０のカード支持表面７０ｂよりも大きく突出するようになる。
【００３０】
以上の構成によれば、カード挿入過程において、カード１００の挿入側の端部は、図５の（ａ）（ｂ）に示すように、必ず後コンタクト４０より先に固定接触部７０の傾斜案内面７０ａに接触し、この傾斜案内面７０ａによってインシュレータ５０の接続表面５３に対して強制的に離反変位させられ（本実施例では持ち上げられ）、固定接触部７０のカード支持表面７０ｂに乗り上がり、このカード支持表面７０ｂによってインシュレータ５０の接続表面５３に対する後コンタクト４０先端の離反距離Ｓ１よりも大きい離反距離Ｓ２で支持され、この状態で、固定接触部７０の直後に配置された後コンタクト４０に到達する。これにより、カード１００の挿入側の端部は、後コンタクト４０先端に直接接触することなく、必ず可動接触部４０ｃの頂部より先端側の傾斜面や円弧面の途中の表面に直接接触し、後コンタクト４０を後コンタクト収納孔５５ｂ内に押し下げながら通過するようになる。このように、固定接触部７０はカード挿入方向と対向する後コンタクト４０先端部の座屈変形を確実に防止することができる。
【００３１】
以上から明らかなように、第１の座屈変形防止手段として、インシュレータ５０の接続表面５３に、後コンタクト４０より先にカード１００に接触し、該カード１００をインシュレータ５０の接続表面５３に対し離反する方向に変位させる傾斜案内面７０ａを有する固定接触部７０を設け、カード挿入過程において、固定接触部７０の傾斜案内面７０ａがカード挿入方向と対向する後コンタクト４０より先にカード１００に接触し、インシュレータ５０の接続表面５３に対する後コンタクト４０先端の離反距離Ｓ１よりもカード１００の離反距離Ｓ２が大きくなるように、該カード１００をインシュレータ５０の接続表面５３に対して強制的に離反させ、カード１００が直接後コンタクト４０先端に接触することがないようにして、カード挿入方向と対向する後コンタクト４０先端部の座屈変形を確実に防止する。
【００３２】
ところで、自由状態でインシュレータ５０の接続表面５３の上に突出している後コンタクト４０先端を、予め自由状態からインシュレータ５０の接続表面５３の下に潜らせておく（後コンタクト４０先端を後コンタクト収納孔５５ｂの内部にまで延設させる）ことでも、カード１００は直接後コンタクト４０先端に接触しないため、後コンタクト４０先端部の座屈変形を防止することができる。この場合、後コンタクト４０先端位置が弾性変位方向に大きく変位するため、その変位量に見合った分インシュレータ５０の厚みを増やす必要があり、コネクタ１の厚みを損なうことになる。固定接触部７０は傾斜案内面７０ａでカード１００をインシュレータ５０の接続表面５３に対して離反させ、カード１００が直接後コンタクト４０先端に接触することがないようにすることで、後コンタクト４０先端をインシュレータ５０の接続表面５３の上に突出した状態でも、後コンタクト４０先端部の座屈変形を防止することができる。このため、インシュレータ５０の厚みを増やす必要がなくコネクタ１の厚みを損なうことはない。逆に、固定接触部７０の傾斜案内面７０ａでカード１００をインシュレータ５０の接続表面５３から離反させる離反距離Ｓ２以内（但し、インシュレータ５０の接続表面５３に対する後コンタクト４０先端の離反距離Ｓ１以上）であれば、後コンタクト４０先端をインシュレータ５０の接続表面５３に対しいくら離反させても、後コンタクト４０先端部の座屈変形を防止することができるので、インシュレータ５０の厚みを減らしコネクタ１の厚みを薄くすることができる。また、カード１００の装着状態においては、固定接触部７０がカード１００の厚み方向の位置規制を行い、カード１００の上面と左右天板部２３ａ，２３ｂとの隙間Ｓ３を殆どなくし、カード１００のガタツキを最小限に抑えることで、後コンタクト４０の接触圧（バネ力）が小さい場合でも安定した接触を得ることができると共に、振動や衝撃が加わった場合でも瞬断等を生じることなく接触を確実に維持することができるため、コネクタ１の接触信頼性と耐振動性、耐衝撃性を向上することができ、携帯用小型電子機器や車載のカーナビゲーション装置等に有効になる。さらに、固定接触部７０は、インシュレータ５０の接続表面５３に部分的に突出して形成され、カード１００と小面積で接触する小さなリブでなり、カード挿入時においてはカード１００とインシュレーター５０との摩擦（カード挿抜抵抗）が小さくなり、カード１００の挿抜感触を損なうこともない。
【００３３】
次に、第２の座屈変形防止手段として、本実施例のコネクタ１には、図３、図６に示すように、底板部２１の左右側部２１ａ，２１ｂを部分的に切り起こして形成された左右板バネでなる左右バネ体８０ａ，８０ｂが設けられている。この左右バネ体８０ａ，８０ｂは、左右ガイドフレーム部２４ａ，２４ｂの下面からこの内側に片持ち状態でカード挿入方向に沿って後上がり傾斜状に突出して設けられ、後コンタクト４０より前側でインシュレータ５０の左右外側部に配置され、先端部が側面視で、インシュレータ５０の接続表面５３に対する後コンタクト４０先端の離反距離Ｓ１よりも大きく、且つ、下面をインシュレータ５０の接続表面５３に当接させた状態のカード１００の上面と左右天板部２３ａ，２３ｂとの隙間Ｓ３より大きい突出量で、インシュレータ５０の接続表面５３より突出されている。
【００３４】
以上の構成によれば、カード挿入過程において、図６の（ａ）（ｂ）に示すように、左右ガイドフレーム部２４ａ，２４ｂに嵌合されているカード１００の左右側部における挿入側の端部が、先ず、左右バネ体８０ａ，８０ｂに接触し、この左右バネ体８０ａ，８０ｂをカード挿入に伴って押し下げながら通過する。これにより、カード１００は、左右バネ体８０ａ，８０ｂによるバネ付勢によって、左右側部上面が左右天板部２３ａ，２３ｂに当接するまで、インシュレータ５０の接続表面５３に対して離反変位させられ（本実施例では持ち上げられ）、下面をインシュレータ５０の接続表面５３に当接させた状態のカード１００の上面と左右天板部２３ａ，２３ｂとの隙間Ｓ３に相当する、インシュレータ５０の接続表面５３に対する後コンタクト４０先端の離反距離Ｓ１よりも大きい離反距離Ｓ３で支持され、この状態で、左右天板部２３ａ，２３ｂに沿って挿入されて、カード１００の挿入側の端部が後コンタクト４０先端位置に到達する。これにより、カード１００の挿入側の端部は、後コンタクト４０先端に直接接触することなく、可動接触部４０ｃの頂部より先端側の傾斜面や円弧面の途中の表面に直接接触し、後コンタクト４０を後コンタクト収納孔５５ｂ内に押し下げながら通過するようになる。このように左右バネ体８０ａ，８０ｂはカード挿入方向と対向する後コンタクト４０先端部の座屈変形を防止することができる。
【００３５】
以上から明らかなように、第２の座屈変形防止手段として、後コンタクト４０より先にカード１００に接触し、該カード１００をインシュレータ５０の接続表面５３に対し離反させる方向にバネ付勢するバネ体８０ａ，８０ｂを設け、カード挿入過程において、バネ体８０ａ，８０ｂがカード挿入方向と対向する後コンタクト４０より先にカード１００に接触し、インシュレータ５０の接続表面５３に対する後コンタクト４０先端の離反距離Ｓ１よりもカード１００の離反距離Ｓ３が大きくなるように、該カード１００をインシュレータ５０の接続表面５３に対して離反させ、カード１００が直接後コンタクト４０先端に接触することがないようにして、カード挿入方向と対向する後コンタクト４０先端部の座屈変形を防止する。
【００３６】
次に、第３の座屈変形防止手段として、本実施例のカードコネクタ１は、図７に示すように、前コンタクト３０のバネ力を後コンタクト４０のバネ力より大きくするように、前コンタクト３０の有効バネ長（支点部３０ａの固定端から可動接触部３０ｃの頂部までの長さ）Ｌ１を後コンタクト４０の有効バネ長（支点部４０ａの固定端から可動接触部４０ｃの頂部までの長さ）より短寸に形成している。
【００３７】
以上の構成によれば、カード挿入過程において、図７の（ａ）（ｂ）に示すように、インシュレータ５０の接続表面５３の上に挿入されたカード１００の挿入側の端部が、先ず、インシュレータ５０の接続表面５３で突出しているカード挿入方向に対して非対向の前コンタクト３０に接触し、この前コンタクト３０をカード挿入に伴って押し下げながら通過する。これにより、カード１００は、前コンタクト３０によるバネ付勢によって、左右側部上面が左右天板部２３ａ，２３ｂに当接するまで、インシュレータ５０の接続表面５３に対して離反変位させられ（本実施例では持ち上げられ）、下面をインシュレータ５０の接続表面５３に当接させた状態のカード１００の上面と左右天板部２３ａ，２３ｂとの隙間Ｓ３に相当する、インシュレータ５０の接続表面５３に対する後コンタクト４０先端の離反距離Ｓ１よりも大きい離反距離Ｓ３で支持され、この状態で、左右天板部２３ａ，２３ｂに沿って挿入されて、カード１００の挿入側の端部が後コンタクト４０先端位置に到達する。これにより、カード１００の挿入側の端部は、後コンタクト４０先端に直接接触することなく、可動接触部４０ｃの頂部より先端側の傾斜面や円弧面の途中の表面に直接接触し、後コンタクト４０を後コンタクト収納孔５５ｂ内に押し下げながら通過するようになる。このようにカード挿入方向に対し対向する後コンタクト４０より先にカード１００に接触し、且つ、カード挿入方向に対し対向する後コンタクト４０より大きいバネ力を有する前コンタクト３０はカード挿入方向と対向する後コンタクト４０先端部の座屈変形を防止することができる。
【００３８】
以上から明らかなように、第３の座屈変形防止手段として、前コンタクト３０のバネ力を後コンタクト３０のバネ力より大きくし、カード挿入方向に対し非対向の前コンタクト３０が対向する後コンタクト４０より先にカード１００に接触し、後コンタクト４０のバネ力より大きい前コンタクト３０のバネ力で、インシュレータ５０の接続表面５３に対する後コンタクト４０先端の離反距離Ｓ１よりもカード１００の離反距離Ｓ３が大きくなるように、該カード１００をインシュレータ５０の接続表面５３に対して離反させ、カード１００が直接後コンタクト４０先端に接触することがないようにして、カード挿入方向と対向する後コンタクト４０先端部の座屈変形を防止する。
【００３９】
以上の固定接触部７０、バネ体８０ａ，８０ｂ、前コンタクト３０はそれぞれ単独でカード挿入方向と対向する後コンタクト４０先端部の座屈変形を防止することができるが、バネ体８０ａ，８０ｂと前コンタクト３０はカード１００がインシュレータ５０の接続表面５３に押し付けられた状態で挿入されたり、多少の反りがあるカード１００が挿入される場合を考慮し、固定接触部７０と併用することが望ましく、また、バネ体８０ａ，８０ｂと前コンタクト３０とを併用する場合も同様に固定接触部７０を設けることが望ましい。さらに、バネ体８０ａ，８０ｂと前コンタクト３０とを併用する場合、それぞれのバネ力は後コンタクト４０のバネ力より大きくしても、両者の合成バネ力が後コンタクト４０のバネ力より大きくなるように設定してもよい。
【００４０】
以上の実施の形態ではカードコネクタ１に本発明を適用した実施例を説明したが、本発明はそれに限定されることなく、その要旨を逸脱しない範囲内においてカードコネクタ１以外のコネクタ、例えば接続対象物が携帯用小型電子機器等の２次電池であるバッテリーコネクタの他、基板同士、ケーブル同士、基板体ケーブル等、接続対象部の接続方向と対向する導電部材（コンタクト）を備える電気接続用のコネクタに適用し、その導電部材先端部の座屈変形を防止することができる。
【図面の簡単な説明】
【００４１】
【図１】本実施例に係るカードコネクタの外観斜視図である。
【図２】図１のカードコネクタの分解斜視図である。
【図３】図１のカードコネクタを裏返した状態の外観斜視図である。
【図４】図３のカードコネクタの分解斜視図である。
【図５】図１のカードコネクタのカード挿入方向と対向するコンタクト先端部の第１の座屈防止手段を示す要部断面側面図である。
【図６】図１のカードコネクタのカード挿入方向と対向するコンタクト先端部の第２の座屈防止手段を示す要部断面側面図である。
【図７】図１のカードコネクタのカード挿入方向と対向するコンタクト先端部の第３の座屈防止手段を示す要部断面側面図である。
【符号の説明】
【００４２】
１  カードコネクタ（コネクタ）
３０  前コンタクト（接続対象物の接続方向に対し非対向の第１導電部材）
３０ａ  支点部
３０ｂ  バネ部
３０ｃ  可動接触部
４０  後コンタクト（接続対象物の接続方向と対向する導電部材，第２導電部材）
４０ａ  支点部
４０ｂ  バネ部
４０ｃ  可動接触部
５０  インシュレータ（絶縁体）
５３  接続表面
７０  固定接触部（第１の座屈変形防止手段）
７０ａ  傾斜案内面
８０ａ，８０ｂ  バネ体（第１の座屈変形防止手段）
Ｌ１  前コンタクトの有効バネ長
Ｌ２  後コンタクトの有効バネ長
１００  メモリーカード（接続対象物）
１１０，１２０  電極
【図１】
2006252900.tif 000003
【図２】
2006252900.tif 000004
【図３】
2006252900.tif 000005
【図４】
2006252900.tif 000006
【図５】
2006252900.tif 000007
【図６】
2006252900.tif 000008
【図７】
2006252900.tif 000009